(57)【要約】長尺物の取付機構において、蛍光ランプ１の両端部に設けられた各取付部３に、下方に向けて突出する突出板３ａ，３ａが設けられると共に、各突出板３ａの下端部における外側部に、外向きに突出し、かつ、他方の取付部３を向く側の部分の突出長が徐々に減少する取外用勾配３ｃを形成した爪部３ｂが弾性によって引き込み可能に設けられ、各取付受部７に、嵌込孔７ａ，７ａが形成されると共に、各嵌込孔７ａの外側の端縁部に内向きに突出する係止部７ｂが設けられた構成とすることにより、一方の取付部３の係止を外して持ち上げるだけで、他方の取付部３の係止も自動的に外れる。【特許請求の範囲】
【請求項１】
左右に長尺な長尺物の両端部に設けられた取付部をそれぞれ下方の設置部の左右の取付受部に係止することにより取り付ける長尺物の取付機構において、
各取付部に、下方に向けて突出する突出部が設けられると共に、この突出部の下端部における前後方向の両外側部に、左右方向に沿った所定長にわたって外向きに突出し、かつ、他方の取付部を向く側の部分の突出長がこの他方の取付部側ほど減少する取外用勾配を形成した爪部が、弾性によって突出方向とは逆向きに引き込み可能に設けられ、
各取付受部に、取付部の突出部を嵌め込む嵌込部が形成されると共に、この嵌込部の前後方向の両外側の端縁部に、左右方向に沿った所定長以上の長さにわたって、互いに向かい合う内側に向けて突出する係止部が設けられたことを特徴とする長尺物の取付機構。
【請求項２】
前記各取付部に、前後方向に並んで下方に突出する一対の突出部が設けられると共に、前記爪部が、この対となる各突出部の下端部における他方の突出部とは反対側となる外側部に設けられ、
前記各取付受部に、取付部の一対の突出部を嵌め込む一対の嵌込部が形成され、前記係止部がこの対となる各嵌込部における他方の嵌込部とは反対側の端縁部に突設されたことを特徴とする請求項１に記載の長尺物の取付機構。
【請求項３】
前記各爪部が、対となる各突出部の下端部における他方の突出部と向かい合う内側部に、左右方向に沿った所定長にわたって内側に向けて突出し、かつ、他方の取付部を向く側の部分の突出長がこの他方の取付部側ほど減少する取外用勾配を形成した爪部が、弾性によって突出方向とは逆向きに引き込み可能に設けられ、
前記各嵌込部が、対となる他方の嵌込部とは反対側に端縁部を有する開口孔状、又は、この他方の嵌込部とは反対側に端縁部を有さない案内溝状であり、
前記各係止部が、対となる各嵌込部における他方の嵌込部と向かい合う側の端縁部に突設されたことを特徴とする請求項２に記載の長尺物の取付機構。
【請求項４】
前記各爪部に取外用勾配が形成されず、
前記各係止部に、他方の取付受部を向く側の部分の突出長がこの他方の取付受部側ほど減少する取外用勾配が形成されたことを特徴とする請求項１乃至請求項３のいずれかに記載の長尺物の取付機構。
【請求項５】
前記各爪部が引き込み可能とはならずに固定され、
前記各係止部が、弾性によって突出方向とは逆向きに引き込み可能に設けられていることを特徴とする請求項１乃至請求項４のいずれかに記載の長尺物の取付機構。
【請求項６】
前記各嵌込部の端縁部から突出する係止部の上端部に、さらに僅かに突出する仮止め用突起が設けられたことを特徴とする請求項１乃至請求項５のいずれかに記載の長尺物の取付機構。
【発明の詳細な説明】
【技術分野】
【０００１】
本発明は、直管型の蛍光ランプ等のような長尺物の取付機構に関するものである。
【背景技術】
【０００２】
直管型の蛍光ランプは、通常は設置部に設置された蛍光ランプ点灯装置に取り付けられて使用される。蛍光ランプ点灯装置は、蛍光ランプを設置部に支持すると共に、この蛍光ランプに点灯回路を介して電源を供給するための装置である。しかしながら、従来の直管型の蛍光ランプは、両端の口金から端子として突出する口金ピンを蛍光ランプ点灯装置の両端部のソケットにそれぞれ装着する必要があり、この装着作業が必ずしも容易ではなかった。【０００３】
そこで、本願出願人は、日本国特許出願  特願２００５−３９２５７において、図９に示すように、蛍光ランプ１における蛍光管２の両端部の取付部３，３から下方に突出した突出板３ａ・・・を、蛍光ランプ点灯装置６の両端部に設けられた取付受部７，７の嵌込孔７ａ・・・に挿入して係止部７ｂ・・・に係止するだけで取り付けられるようにした発明を提案した。【０００４】
上記蛍光ランプ１は、左右方向に長尺な蛍光管２の両端部に樹脂製の取付部３，３を配設したものであり、各取付部３には、前後方向に並んで下方に突出する一対の突出板３ａ，３ａが設けられている。そして、各突出板３ａの下端部には、前後方向に並んで対となる他方の突出板３ａとは反対側となる外向きに突出する爪部３ｂが設けられている。【０００５】
各突出板３ａは、前後方向に薄く左右方向にある程度の長さを有する樹脂板であり、上端が取付部３の比較的上部で本体に一体成形により繋がると共に、この取付部３の底面よりも十分に下方まで突出して上下方向に長くなっているので、一対の突出板３ａ，３ａを前後方向の両側から押せば、樹脂の弾性によって、爪部３ｂ，３ｂを設けた下端部が内側（互いに接近する方向）に撓むようになっている。【０００６】
各爪部３ｂは、突出板３ａの左右方向の全長にわたってこの突出板３ａの下端部の外側面から突設されている。また、これらの各爪部３ｂには、前後方向への突出長が下端から徐々に増大し上端で最大となるような嵌込用勾配が形成されている。【０００７】
蛍光ランプ点灯装置６は、内部に蛍光管２の点灯回路を備え、この点灯回路を覆う樹脂製のケースの両端部上面に、蛍光ランプ１の取付部３，３を係止するための取付受部７，７が設けられている。各取付受部７には、前後方向に並んだ一対の嵌込孔７ａ，７ａが設けられている。各嵌込孔７ａは、取付受部７のケース上面に開口する、左右方向の長さが突出板３ａよりも十分に長く、前後方向の幅がこの突出板３ａの前後方向の厚さに爪部３ｂの最大突出長を加えた長さより十分に広いスリット状の開口孔である。【０００８】
また、各嵌込孔７ａのケース内部側には、図示部分断面に示すように、開口孔の端縁を下方に案内するように下方に向けて少し突出する方形のスリーブが形成されていて、このスリーブにおける他方の嵌込孔７ａとは反対側（外側）の端縁部が内側に突出して係止部７ｂが形成されている。つまり、実際には、一対の嵌込孔７ａの間隔距離が一対の突出板３ａの間隔距離よりも短く形成されているにすぎないが、この結果、一対の突出板３ａを一対の嵌込孔７ａに挿入しようとすると、各突出板３ａの外側に突出する爪部３ｂが各嵌込孔７ａの外側の端縁部に衝突することになるので、このことから、各嵌込孔７ａの外側の端縁部が本来よりも内側に余分に突出し、この突出した部分が係止部７ｂであると称している。【０００９】
上記蛍光ランプ１は、両端部の取付部３，３の突出板３ａ・・・を蛍光ランプ点灯装置６の両端部の取付受部７，７の嵌込孔７ａ・・・に挿入するだけで、各突出板３ａの爪部３ｂが各嵌込孔７ａの係止部７ｂに係止されるので、図１０に示すように、この蛍光ランプ点灯装置６に取り付けられることになる。つまり、図９の矢印に示すように、蛍光ランプ１を蛍光ランプ点灯装置６の真上から下降させて、各対の突出板３ａ，３ａを各対の嵌込孔７ａ，７ａに挿入しようとすると、各突出板３ａの爪部３ｂが各嵌込孔７ａの係止部７ｂに衝突することになる。しかし、各爪部３ｂには、突出長が下端から徐々に増大する嵌込用勾配が形成されているので、この嵌込用勾配が係止部７ｂの上端の縁に当接することにより、この爪部３ｂが内側に押される。【００１０】
そして、この状態で蛍光ランプ１をさらに下方に押すと、突出板３ａの下端が内側に撓みながら爪部３ｂと共に嵌込孔７ａに入り込む。しかも、爪部３ｂが係止部７ｂの下端より下方に達すると、樹脂の弾性によって突出板３ａの下端の撓みが真っ直ぐに戻り、この爪部３ｂが係止部７ｂの下端に係止されて上方には戻れないようになる。従って、蛍光ランプ１は、両端部の取付部３，３が蛍光ランプ点灯装置６の取付受部７，７から外れないようになるので、これによって確実に取り付けられる。【００１１】
また、上記蛍光ランプ１は、各取付部３の下面から一対の端子４，４を突出させると共に、蛍光ランプ点灯装置６の各取付受部７のケース上面にも、これらの端子４，４を挿入するための端子孔７ｃ，７ｃを形成している。各端子４は、蛍光管２の両端面から引き出された図示しないリード線に接続された導電性の金属板であり、各取付部３の下面から電源プラグの栓刃状に対になって突出している。【００１２】
また、端子孔７ｃ，７ｃは、各取付受部７のケース上面に設けられたコンセント状の一対の開口孔であり、各端子孔７ｃの下方のケース内部には図示しない端子受金具が配置されている。そして、蛍光ランプ１を取り付けるために各突出板３ａを嵌込孔７ａに挿入すると、これらの各端子４も同時に端子孔７ｃに入り込み、ケース内部で端子受金具に接続されるようになっている。従って、蛍光ランプ点灯装置６は、点灯回路からこれらの端子受金具を介して蛍光ランプ１に電源を供給することができるようになる。【００１３】
なお、上記蛍光ランプ１は、蛍光管２の両端部に従来のような口金が設けられず、しかも、これらの口金から口金ピンが左右方向に突出するということもないので、天井や壁面等に複数本を左右方向に隣接させて配置した場合に、これら左右に並んだ各蛍光ランプ１の間に非発光領域がほとんど生じず、照明効果を高めることができるという利点も有する。【００１４】
上記蛍光ランプ１を蛍光ランプ点灯装置６から取り外す場合には、蛍光ランプ１の両端部の取付部３，３に両手を添えて、各取付部３の突出板３ａ，３ａを両側から指で挟むように押すことにより、これらの突出板３ａ，３ａの下端部を内側に撓ませて爪部３ｂ，３ｂの係止部７ｂ，７ｂへの係止を解除する。そして、両端部の取付部３，３を同時に上方に引き上げれば、突出板３ａ，３ａを爪部３ｂ，３ｂと共に嵌込孔７ａ，７ａから引き抜いて、蛍光ランプ１を蛍光ランプ点灯装置６から取り外すことができる。【００１５】
ところが、上記蛍光ランプ１は、特に例えば天井に設置して広い室内照明に用いるようなものの場合、左右の長さが極めて長い場合があり、両手を広げても蛍光ランプ１の両端部の取付部３，３に手が届かないことがある。また、それほど長くない蛍光ランプ１の場合であっても、例えば天井の蛍光ランプ１を取り外すために脚立の上で片手で自分自身を支えたり、蛍光ランプ１を覆っていたセードを片手で支える必要が生じて、同時に両手を使うことができない場合もある。このため、片手で一方の取付部３の係止だけを解除して蛍光ランプ１を取り外そうとすると、他方の取付部３の係止は解除されていないために、爪部３ｂや蛍光管２に無理な力が加わり破損するおそれが生じる。【００１６】
しかも、天井に設置された蛍光ランプ１の場合には、図とは上下方向が逆になるので、片手で一方の取付部３の係止を解除しただけで、蛍光ランプ１の自重により一方側が下がって斜めになり、この蛍光ランプ１から手を離しただけで破損のおそれが生じる。従って、蛍光ランプ１が長尺な場合や設置状況によっては、一人では蛍光ランプ点灯装置６から取り外すことができないことがあり、この蛍光ランプ１の交換等の際に不便が生じるという問題が生じていた。【００１７】
なお、上記蛍光ランプ１を蛍光ランプ点灯装置６に取り付ける場合にも同様の問題は生じ得るが、実際には、爪部３ｂに嵌込用勾配があれば、片手だけを使って、一方の取付部３と他方の取付部３を順に、又は、双方の取付部３，３を同時に係止させることができる。
【発明の開示】
【発明が解決しようとする課題】
【００１８】
本発明は、長尺物の両端部の取付部を係止する爪部に取外用勾配を形成することにより、一方の取付部の係止を外すだけで、他方の取付部の係止も自動的に外れるようにした長尺物の取付機構を提供しようとするものである。
【課題を解決するための手段】
【００１９】
請求項１の発明は、左右に長尺な長尺物の両端部に設けられた取付部をそれぞれ下方の設置部の左右の取付受部に係止することにより取り付ける長尺物の取付機構において、各取付部に、下方に向けて突出する突出部が設けられると共に、この突出部の下端部における前後方向の両外側部に、左右方向に沿った所定長にわたって外向きに突出し、かつ、他方の取付部を向く側の部分の突出長がこの他方の取付部側ほど減少する取外用勾配を形成した爪部が、弾性によって突出方向とは逆向きに引き込み可能に設けられ、各取付受部に、取付部の突出部を嵌め込む嵌込部が形成されると共に、この嵌込部の前後方向の両外側の端縁部に、左右方向に沿った所定長以上の長さにわたって、互いに向かい合う内側に向けて突出する係止部が設けられたことを特徴とする。【００２０】
請求項２の発明は、前記各取付部に、前後方向に並んで下方に突出する一対の突出部が設けられると共に、前記爪部が、この対となる各突出部の下端部における他方の突出部とは反対側となる外側部に設けられ、前記各取付受部に、取付部の一対の突出部を嵌め込む一対の嵌込部が形成され、前記係止部がこの対となる各嵌込部における他方の嵌込部とは反対側の端縁部に突設されたことを特徴とする。【００２１】
請求項３の発明は、前記各爪部が、対となる各突出部の下端部における他方の突出部と向かい合う内側部に、左右方向に沿った所定長にわたって内側に向けて突出し、かつ、他方の取付部を向く側の部分の突出長がこの他方の取付部側ほど減少する取外用勾配を形成した爪部が、弾性によって突出方向とは逆向きに引き込み可能に設けられ、前記各嵌込部が、対となる他方の嵌込部とは反対側に端縁部を有する孔状、又は、この他方の嵌込部とは反対側に端縁部を有さない案内溝状であり、前記各係止部が、対となる各嵌込部における他方の嵌込部と向かい合う側の端縁部に突設されたことを特徴とする。【００２２】
請求項４の発明は、前記各爪部に取外用勾配が形成されず、前記各係止部に、他方の取付受部を向く側の部分の突出長がこの他方の取付受部側ほど減少する取外用勾配が形成されたことを特徴とする。【００２３】
請求項５の発明は、前記各爪部が引き込み可能とはならずに固定され、前記各係止部が、弾性によって突出方向とは逆向きに引き込み可能に設けられていることを特徴とする。【００２４】
請求項６の発明は、前記各嵌込部の端縁部から突出する係止部の上端部に、さらに僅かに突出する仮止め用突起が設けられたことを特徴とする。【００２５】
なお、本願における前後、左右及び上下の方向は、特に実際の方向を示す場合のほかは、三次元において互いに直交する方向を示すための便宜上のものにすぎない。例えば天井に長尺物を設置する場合には、上下方向が実際には逆となる。また、例えば壁面に長尺物を横向きに設置する場合には、左右方向が実際の水平方向における壁面に平行な方向となり、上下方向が実際の水平方向における壁面に直交する方向となり、前後方向が実際の垂直方向となる。さらに、例えば壁面に長尺物を縦向きに設置する場合には、前後方向が実際の水平方向における壁面に平行な方向となり、上下方向が実際の水平方向における壁面に直交する方向となり、左右方向が実際の垂直方向となる。【００２６】
請求項１の発明によれば、長尺物の両端部の取付部の突出部を設置部の取付受部の嵌込部に嵌め込み、各突出部の爪部を嵌込部の係止部に係止することにより、この長尺物を設置部に取り付けることができる。そして、いずれか一方の取付部の突出部の爪部を弾性によって引き込ませることにより係止部への係止を解除し、この一方の取付部を上方に引き上げると、長尺物全体が一方の端部を上方に向けて斜めになるので、他方の端部の取付部の突出部における爪部の一方側が上方に持ち上がって、取外用勾配が係止部に当接する。すると、この取外用勾配は、一方側ほど突出長が減少するので、この一方側から係止部に当接されて持ち上げられることにより、爪部を弾性によって引き込ませることができ、これによって他方の取付部の突出部の爪部全体の係止部への係止を解除することができる。従って、いずれか一方の取付部でのみ突出部の爪部を引き込ませる操作を行って係止を解除し、この一方の取付部を持ち上げるだけで、自動的に他方の取付部の係止も解除できるので、片手で容易に長尺物の取り外しを行うことができるようになる。【００２７】
なお、長尺物のいずれの取付部の係止も解除することなく、いずれかの取付部だけを上方に持ち上げようとしたり、双方の取付部を同時に真っ直ぐ上方に持ち上げようとしても、左右の取付部の爪部における取外用勾配以外の部分が確実に係止部に係止されているので、この長尺物の取り付けが不確実になるようなおそれは生じない。【００２８】
請求項２の発明によれば、各取付部に前後方向に並んだ一対の突出部が設けられるので、これらの突出部を樹脂等の弾性体によって作製すれば、これら一対の突出部を両側から挟むように押すことにより、前後方向の外側に突出する爪部を弾性により内側に引き込ませることができ、この爪部が引き込み可能となる構造を容易に構成することができるようになる。また、各取付受部にも一対の嵌込部が形成されるので、突出部とこれを嵌め込む嵌込部との位置関係が明確となり、長尺物の取り付け作業を分かりやすくすることができる。【００２９】
なお、突出部は、前後方向の適度な弾性が生じるように前後方向に薄い板状の突出板として構成することが好ましく、嵌込部も、この突出板を挿入する開口孔状の嵌込孔として構成することが好ましい。【００３０】
請求項３の発明によれば、各取付部に前後方向に並んだ一対の突出部が設けられるので、これらの突出部を樹脂等の弾性体によって作製すれば、これら一対の突出部を両側に押し広げるようにすることにより、前後方向の内側に突出する爪部を弾性により外側に引き込ませることができ、この爪部が引き込み可能となる構造を容易に構成することができるようになる。しかも、各嵌込部が他方の嵌込部とは反対側に端縁部を有さない案内溝状とすれば、これらの嵌込部を開口孔状とする必要がなくなり、取付受部の前後方向の両外側面に形成することができるようになるので、取付受部の構造も簡素化することができるようになる。【００３１】
請求項４の発明によれば、取外用勾配が係止部側に形成されるので、この取外用勾配が爪部に形成された場合と同様に、いずれか一方の取付部でのみ突出部の爪部を引き込ませる操作を行って係止を解除し、この一方の取付部を持ち上げるだけで、自動的に他方の取付部の係止も解除できるようになる。【００３２】
請求項５の発明によれば、係止部が引き込み可能となるように設けられるので、爪部が引き込み可能になる場合と同様に、いずれか一方の取付受部でのみ嵌込部の係止部を引き込ませる操作を行って係止を解除し、この一方の取付部を持ち上げるだけで、自動的に他方の取付部の係止も解除できるようになる。【００３３】
請求項６の発明によれば、爪部が係止部により本来の係止を行われる前に、仮止め用突起に仮係止されるので、この爪部が係止部に確実に係止されることなく放置された場合であっても、不用意に長尺物が外れるのを防止することができる。特に、長尺物を天井に設置する場合には、この係止が確実に行われなかった場合に、長尺物が落下するのを防止することができるようになる。
【図面の簡単な説明】
【００３４】
【図１】本発明の一実施形態を示すものであって、蛍光ランプと蛍光ランプ点灯装置の左端部を拡大して示した部分拡大斜視図である。
【図２】本発明の一実施形態を示すものであって、蛍光ランプの左端部の取付部を下方より見上げて示した部分拡大斜視図である。
【図３】本発明の一実施形態を示すものであって、蛍光ランプを蛍光ランプ点灯装置に取り付ける直前の一部断面側面図である。
【図４】本発明の一実施形態を示すものであって、蛍光ランプを蛍光ランプ点灯装置に取り付ける途中の一部断面側面図である。
【図５】本発明の一実施形態を示すものであって、蛍光ランプを蛍光ランプ点灯装置に取り付けた後の一部断面側面図である。
【図６】本発明の一実施形態を示すものであって、片手で蛍光ランプを蛍光ランプ点灯装置から取り外す途中の正面図である。
【図７】本発明の他の実施形態を示すものであって、係止部に仮止め用突起を形成した場合の取付部と取付受部を拡大して示した部分拡大一部断面側面図である。
【図８】本発明の他の実施形態を示すものであって、爪部を内向きに突設した場合の蛍光ランプと蛍光ランプ点灯装置の左端部を拡大して示した部分拡大斜視図である。
【図９】従来例を示すものであって、蛍光ランプを蛍光ランプ点灯装置に取り付ける前の一部断面斜視図である。
【図１０】従来例を示すものであって、蛍光ランプを蛍光ランプ点灯装置に取り付けられた後の斜視図である。
【符号の説明】
【００３５】
１    蛍光ランプ
３    取付部
３ａ  突出板
３ｂ  爪部
３ｃ  取外用勾配
６    蛍光ランプ点灯装置
７    取付受部
７ａ  嵌込孔
７ｂ  係止部
７ｄ  仮止め用突起
７ｅ  嵌込部
７ｆ  取外用勾配
【発明を実施するための最良の形態】
【００３６】
以下、本発明の最良の実施形態について図１〜図８を参照して説明する。なお、これらの図においても、図９及び図１０に示した従来例と同様の機能を有する構成部材には同じ番号を付記する。【００３７】
本実施形態では、図９及び図１０に示した従来例と同様に、左右に長尺な直管型の蛍光ランプ１を設置部に設置した蛍光ランプ点灯装置６に取り付ける取付機構について説明する。蛍光ランプ点灯装置６の構成は、この従来例と全く同じである。また、蛍光ランプ１も、左右方向に長尺な蛍光管２の両端部に樹脂製の取付部３，３を配設したものであり、各取付部３に一対の突出板３ａ，３ａが設けられると共に、これらの突出板３ａ，３ａの下端部に外向きに突出する爪部３ｂ，３ｂが設けられている構成も、この従来例と同様である。なお、これら各取付部３は、下面から一対の端子４，４を突出させている構成も、この従来例と同様である。【００３８】
しかしながら、本実施形態では、図１及び図２に示すように、各取付部３の一対の突出板３ａ，３ａの爪部３ｂ，３ｂにおける他方の取付部３を向く側に、取外用勾配３ｃ，３ｃが設けられている構成が従来例と相違する。つまり、図９に示した従来例の爪部３ｂは、突出板３ａの下端部における対となる他方の突出部とは反対側の外側面から左右方向の全長にわたって突設されたものであり、かつ、この左右方向の全長にわたる外側面からの突出長が下端ではほとんど０であるが、上方に向かうほど徐々にこの突出長が増大して、爪部３ｂの上端で最大となる嵌込用勾配が形成されている。【００３９】
本実施形態の爪部３ｂは、これに加えて、他方の取付部３を向く側（図１及び図２に示す左端部の取付部３の場合には、右側）のほぼ半分の部分の突出長が、この他方の取付部３側ほど減少する取外用勾配３ｃが設けられている。従って、この爪部３ｂによる係止部７ｂとの係止は、他方の取付部３とは反対側では従来例と同様に行われるので、全体としても確実な係止が行われるが、この取外用勾配３ｃが設けられた部分では、他方の取付部３側に近づくほど、局所的に係止が不確実になる。【００４０】
上記構成の蛍光ランプ１を蛍光ランプ点灯装置６に取り付ける手順を説明する。図３に示すように、蛍光ランプ１の各取付部３が蛍光ランプ点灯装置６の各取付受部７の真上に配置されるようにする。この蛍光ランプ１をそのまま下降させると、端子４，４が取付受部７の図３には表れない端子孔７ｃ，７ｃに入り込み、続いて突出板３ａ，３ａも嵌込孔７ａ，７ａに入り込もうとする。ただし、これらの嵌込孔７ａ，７ａの外側の端縁部からは、係止部７ｂ，７ｂが内側に突出しているので、突出板３ａ，３ａの爪部３ｂ，３ｂに形成された、上方ほど突出長が増大する嵌込用勾配の斜面がこの係止部７ｂ，７ｂの上端の縁に衝突する。【００４１】
そこで、蛍光ランプ１をさらに下方に押し込むと、係止部７ｂ，７ｂの上端の縁が爪部３ｂ，３ｂの嵌込用勾配を内側に押して、突出板３ａ，３ａの下端を内側に撓ませ、爪部３ｂ，３ｂも突出方向とは反対の内側に引き込むようになるので、図４に示すように、嵌込孔７ａ，７ａに突出板３ａ，３ａが爪部３ｂ，３ｂと共に自動的に入り込む。【００４２】
そして、蛍光ランプ１をさらに下方に押し込むと、爪部３ｂ，３ｂの突出端が係止部７ｂ，７ｂの突出端面を摺接しながら下降して係止部７ｂ，７ｂの下端を通り過ぎる。すると、図５に示すように、弾性によって突出板３ａ，３ａの撓みが再び真っ直ぐに戻り、爪部３ｂ，３ｂも外側に突出した状態に復帰するので、内側に突出した係止部７ｂ，７ｂと噛み合って係止が行われ、蛍光ランプ１が再び上方に戻ることができなようになる。【００４３】
また、上記突出板３ａ，３ａと爪部３ｂ，３ｂが嵌込孔７ａ，７ａに入り込むと、先に端子孔７ｃ，７ｃに入り込んでいた端子４，４が端子受金具５，５の接続部に入り込み、図５に示したように爪部３ｂ，３ｂが係止部７ｂ，７ｂに係止されたときには、これらの端子４，４が端子受金具５，５に確実に接続されるようになる。従って、爪部３ｂと係止部７ｂの係止により蛍光ランプ１が蛍光ランプ点灯装置６に取り付けられると、この蛍光ランプ点灯装置６内の点灯回路が端子受金具５・・・から端子４を介して蛍光管２に電源を供給して点灯させることができるようになる。【００４４】
上記構成の蛍光ランプ１を、まず従来のように両手を使って蛍光ランプ点灯装置６から取り外す手順を説明する。図５に示す蛍光ランプ１の両端部の取付部３，３に両手を添えて、各取付部３の突出板３ａ，３ａを両側から指で挟むように押すことにより、これらの突出板３ａ，３ａの下端部を内側に撓ませて爪部３ｂ，３ｂを突出方向とは逆向きに引き込ませる。すると、爪部３ｂ，３ｂの係止部７ｂ，７ｂへの係止が解除されるので、各取付部３を両方同時に上方に引き上げれば、突出板３ａ，３ａを嵌込孔７ａ，７ａから引き抜くことができ、蛍光ランプ１を蛍光ランプ点灯装置６から取り外すことができる。【００４５】
次に、上記構成の蛍光ランプ１を片手だけを使って蛍光ランプ点灯装置６から取り外す手順を説明する。図５に示す蛍光ランプ１の一方の端部の取付部３に片手を添えて、この取付部３の突出板３ａ，３ａを両側から指で挟むように押すことにより、これらの突出板３ａ，３ａの下端部を内側に撓ませて爪部３ｂ，３ｂを突出方向とは逆向きに引き込ませる。すると、爪部３ｂ，３ｂの係止部７ｂ，７ｂへの係止が解除されるので、図６に示すように、この一方（図６では右側）の端部の取付部３を上方に引き上げれば、突出板３ａ，３ａを嵌込孔７ａ，７ａから引き抜くことができる。【００４６】
ただし、従来であれば、このように一方の取付部３の係止だけを解除して蛍光ランプ１を持ち上げると、他方の取付部３の係止が解除されていない爪部３ｂが破損したり、蛍光管２に強い曲げ応力が加わってガラス管が折れて割れるおそれが生じる。しかしながら、本実施形態の蛍光ランプ１は、各取付部３の爪部３ｂ，３ｂに取外用勾配３ｃ，３ｃが形成されているので、これらの各取付部３を真っ直ぐ上方に持ち上げることはできないが、このように一方の取付部３だけを持ち上げて、他方の取付部３の爪部３ｂ，３ｂに図６の矢印で示す回転方向の力を加えることにより、取外用勾配３ｃ，３ｃの側から自動的に爪部３ｂ，３ｂの係止を解除することができるようになる。【００４７】
即ち、蛍光ランプ１に上記回転方向の力が加わると、他方の取付部３の爪部３ｂ，３ｂに形成された取外用勾配３ｃ，３ｃにおける一方の取付部３を向く側（図６では右側）の端が係止部７ｂ，７ｂの下端の縁に下方から押し当たる。そして、これらの取外用勾配３ｃ，３ｃの一方側の端は、突出長が最少で係止部７ｂ，７ｂへの係止が最も不確実な部分であるため、容易にこの部分での係止が外れることになる。【００４８】
しかも、これらの取外用勾配３ｃ，３ｃは、他方側（図６では左側）ほど突出長が増大する勾配を有するので、蛍光ランプ１にさらに回転方向の力を加わえることにより、既に係止が外れた一方側の端が係止部７ｂ，７ｂの下端の縁に押されて、突出板３ａ，３ａを内側に撓ませるようになる。すると、爪部３ｂ，３ｂが突出方向とは反対の内側に引き込むことになるので、取外用勾配３ｃ，３ｃでの係止部７ｂ，７ｂとの係止が一方側の端から他方側に向けて順次外れるようになり、最後には図６に示したように取外用勾配３ｃ，３ｃが形成されていない爪部３ｂ，３ｂの係止も解除される。【００４９】
従って、この他方の取付部３の爪部３ｂ，３ｂの係止が完全に解除された後は、真っ直ぐ上方に持ち上げても、突出板３ａ，３ａを嵌込孔７ａ，７ａから引き抜くことができるので、片手だけで蛍光ランプ１を蛍光ランプ点灯装置６から取り外すことができるようになる。【００５０】
また、この蛍光ランプ１は、上記と同様の手順により、他方側の取付部３から外すこともできるので、取り外し作業の前に左右いずれの側の取付部３から外すべきかを確認する必要も生じない。【００５１】
以上説明したように、本実施形態によれば、蛍光ランプ１のいずれか一方の取付部３の爪部３ｂ，３ｂの係止を操作によって解除して、この一方の取付部３を持ち上げるだけで、他方の取付部３の爪部３ｂ，３ｂの係止も、取外用勾配３ｃ，３ｃにより自動的に解除することができるので、片手だけを使って蛍光ランプ１の取り外しを行うことができるようになる。【００５２】
また、両手が使える場合でも、もう一方の手で蛍光ランプ１全体を支える等してより安全に取り外すことができるようになる。従って、例えば天井等に極めて長い蛍光ランプ１が設置されているような場合であっても、一人で容易に交換作業ができるようになり、利便性を高めることができるようになる。【００５３】
なお、上記実施形態では、爪部３ｂの嵌込用勾配の下端での突出長がほとんど０となっている場合を示したが、この下端においてもある程度爪部３ｂが突出していてもよい。ただし、蛍光ランプ１を取り付けるために一対の爪部３ｂ，３ｂが下降したときに、一対の係止部７ｂ，７ｂの上端の縁が最初にこれらの爪部３ｂ，３ｂの嵌込用勾配の斜面に同時に当接するようになっている方が挿入が容易となるので、嵌込用勾配の下端ではできるだけ突出長が少ないことが好ましい。【００５４】
また、突出板３ａは、下端が爪部３ｂよりも下方にさらに少し突出すると共に、この突出した部分の外側面に、爪部３ｂの嵌込用勾配と連続して下方ほど板厚が薄くなるような勾配が形成されることにより、この下端が尖ったくさび状となっていてもよい。このように突出板３ａの下端が尖ったくさび状になっていれば、蛍光ランプ１を取り付ける際の嵌込孔７ａへの挿入作業がより容易になる。【００５５】
さらに、爪部３ｂの嵌込用勾配は、上記実施形態のような傾斜した一平面状のものには限定されず、連続した曲面によって形成されていてもよく、複数の平面や曲面が不連続に繋がって形成されたものであってもよい。【００５６】
さらに、爪部３ｂに嵌込用勾配が形成されず、上下方向の突出長が等しくなっていてもよく、この爪部３ｂの突出形状は必ずしも特定のものに限定されない。このように、爪部３ｂに嵌込用勾配が形成されない場合には、係止部７ｂに嵌込用勾配を形成してもよく、双方に嵌込用勾配が形成されていてもよい。ただし、爪部３ｂと係止部７ｂのいずれにも嵌込用勾配が形成されていない場合には、蛍光ランプ１を取り付けるために突出板３ａを嵌込孔７ａに挿入する際にも、操作によって爪部３ｂを引き込ませる必要が生じる。【００５７】
また、上記実施形態では、取外用勾配３ｃが爪部３ｂの左右方向の全長うち、ほぼ半分の部分に形成される場合を示したが、爪部３ｂの左右方向の全長の一部であって、蛍光ランプ１における当該取付部３とは別の端部の取付部３を向く側に形成されるのであれば、形成領域の広狭は問わない。ただし、取外用勾配３ｃが広い範囲に形成されると、爪部３ｂによる係止が不確実になる部分が多くなりすぎ、狭い範囲に形成されると、片手での取り外しが円滑に行えなくなるおそれが生じる。【００５８】
さらに、上記実施形態では、取外用勾配３ｃが左右方向に沿うよりも少し前後に傾斜した垂直面として形成される場合を示したが、別の端部の取付部３を向く側ほど突出長が減少するような面であれば、必ずしもこのような垂直面である必要はなく、むしろこの取外用勾配３ｃは、上方ほど突出長が減少するようになっていることが好ましい。なぜなら、取外用勾配３ｃが別の端部の取付部３を向く側だけでなく、上方の突出長も減少するような面であれば、係止部７ｂの下端の縁に下方から押し当たった際に、突出長が最少の部分が当接することになり、より円滑に係止が外れるようになるからである。【００５９】
さらに、この取外用勾配３ｃも、上記実施形態のような一平面状のものには限定されず、連続した曲面によって形成されていてもよく、複数の平面や曲面が不連続に繋がって形成されたものであってもよい。【００６０】
また、上記実施形態では、板状の突出板３ａを用いる場合を示したが、この突出板３ａは、弾性によって爪部３ｂを引き込み可能にするものであれば、必ずしも１枚の板状である必要はなく、１本以上の棒状や格子状等の突出部であってもよい。このように、突出板３ａ等の突出部の弾性を利用すれば、爪部３ｂの引き込み可能な構造を簡単な構成により実現することができ、しかも、板状の突出板３ａであれば、製造も容易となる。【００６１】
ただし、各爪部３ｂを引き込み可能にする構造は、突出板３ａ等の突出部の弾性を利用したものに限定されるものではなく、例えば突出板３ａの下端部に爪部３ｂを前後方向に所定位置まで往復摺動可能に配置すると共に、この爪部３ｂをバネ等の弾性体で所定位置に付勢しておくようにしてもよい。しかも、このように突出板３ａ等の弾性を利用しない場合には、一対の突出板３ａ，３ａに代えて、各取付部３に一つずつのブロック状等の突出部を設けるだけでもよい。そして、この場合の爪部３ｂ，３ｂは、一つのブロック状等の突出部の下端部における前後方向の両外側部に設けられることになる。【００６２】
また、上記実施形態では、一対の突出板３ａ，３ａを両側から指で挟むように押すことにより、爪部３ｂ，３ｂの係止を解除する場合を示したが、この係止の解除方法も任意であり、例えば取付部３や取付受部７に設けたボタンやレバー等を押すことにより爪部３ｂ，３ｂが引き込んで係止が解除されるような解除機構が設けられていてもよい。特に、爪部３ｂがバネ等の弾性体に付勢されて引き込み可能となるような場合には、このような解除機構を用いる方が便利である。【００６３】
ところで、このようなボタン等が一旦押すと手を離しても係止が解除されたままになる場合には、片手で一方の取付部３のボタン等を押して係止を解除した後に、同じ片手で他方の取付部３のボタン等を押して係止を解除することもできるが、例えば天井に設置した極めて長い蛍光ランプ１の場合には、片手を一方の取付部３から他方の取付部３に移動する間にも蛍光ランプ１を支え続ける必要があるので、本実施形態のように、片手で一方の取付部３の係止を解除してそのまま持ち上げる（蛍光ランプ１が天井に設置されている場合には、引き下げる）だけで他方の取付部３の係止も自動的に解除されるような機構の方が有用なものとなる。【００６４】
また、上記実施形態では、一対の突出板３ａ，３ａを挿入する際の位置を分かりやすくするために、取付受部７にも一対の嵌込孔７ａ，７ａを形成する場合を示したが、係止部７ｂ，７ｂを突設するために両外側に端縁部があればよいので、１箇所の前後方向に幅のある嵌込孔を形成して、ここに一対の突出板３ａ，３ａを共に挿入するようにしてもよい。しかも、一対の突出板３ａ，３ａに代えて例えば一つのブロック状の突出部を設ける場合には、嵌込孔もこのような１箇所だけのものを形成する必要が生じる。【００６５】
さらに、これら一対の嵌込孔７ａ，７ａや１箇所の嵌込孔に代えて、取付受部７にスリット状や溝状等の嵌込部を形成してもよい。【００６６】
また、上記実施形態では、係止部７ｂが上下方向のある程度の長さにわたって均等な突出長で内側に突出し、この係止部７ｂの下端でのみ、突出板３ａの下端部の爪部３ｂを係止する場合を示したが、図７に示すように、係止部７ｂの上端部にも、この係止部７ｂよりもさらに僅かに突出した仮止め用突起７ｄを設けることもできる（請求項６）。【００６７】
係止部７ｂにこのような仮止め用突起７ｄを設けると、特に例えば天井に蛍光ランプ１が設置されている場合に、爪部３ｂの係止部７ｂへの本来の係止が解除された後でも、不用意にこの蛍光ランプ１が落下するのを防止することができる。しかも、蛍光ランプ１は、取り付けの際の爪部３ｂの係止が不完全であっても、端子４・・・が端子受金具５・・・に接続されていれば点灯することはできるので、この係止が不完全であることに気付かずに使用されるおそれがある。しかしながら、係止部７ｂにこのような仮止め用突起７ｄが設けられていれば、例えば天井に設置された蛍光ランプ１の係止が不完全で振動等を受けて徐々に下がって来たとしても、爪部３ｂがこの仮止め用突起７ｄに仮係止されるので、使用中に蛍光ランプ１が突然落下して来るというような事故を防止することができる。【００６８】
そして、図７で示した場合には、爪部３ｂが係止部７ｂに仮係止された状態では、端子４と端子受金具５の接続も遮断されるようになっているので、蛍光管２が点灯しなくなることにより、蛍光ランプ１が蛍光ランプ点灯装置６から外れそうになっていることに気が付き、取り付けをやり直すことができるようになる。【００６９】
また、上記実施形態では、一対の突出板３ａ，３ａから爪部３ｂ，３ｂが外向きに突出する場合を示したが、図８に示すように、これら一対の突出板３ａ，３ａの下端部における内側面から内向きに爪部３ｂ，３ｂを突出させることもできる（請求項３）。【００７０】
この場合、各取付部３には、突出板３ａ，３ａが一対必要となるが、板状以外の一対の突出部を用いることもできる。このような内向きの爪部３ｂ，３ｂを引き込み可能とするために一対の突出板３ａ，３ａの弾性を利用する場合には、係止部７ｂ，７ｂとの係止を解除する際に、これらの突出板３ａ，３ａを内側から押し広げる必要があるので、この操作が困難であるときには、爪部３ｂ，３ｂを外側に移動させて引き込ませるための別の解除機構を設けることが好ましい。このように一対の爪部３ｂ，３ｂが内向きに突設されている場合、一対の嵌込孔７ａ，７ａには、互いに向かい合う側の端縁部から係止部７ｂ，７ｂを外向きに突設することになる。【００７１】
しかも、このような一対の嵌込孔７ａ，７ａに代えて、図８に示したように、互いに反対側の端縁部を有さない案内溝状の嵌込部７ｅ，７ｅとすることもできる。つまり、これらの嵌込部７ｅ，７ｅは、取付受部７の前後方向の両側面を溝状に窪ませて形成することができるので、取付受部７の構造を簡素化することができる。嵌込部７ｅ，７ｅがこのような案内溝状である場合には、この溝の底面の上部を外向きに突出させることにより係止部７ｂ，７ｂとすることができる。さらに、このような嵌込部は、取付受部７の前後方向の両側面を窪ませることなくそのまま利用することも可能である。【００７２】
また、上記実施形態では、爪部３ｂに取外用勾配３ｃを形成した場合を示したが、図８に示したように、嵌込部７ｅの係止部７ｂに取外用勾配７ｆを形成することもできる（請求項４）。【００７３】
この取外用勾配７ｆは、別の端部の取付受部７を向く側の係止部７ｂの突出長がこの別の取付受部７側ほど減少するような面である。即ち、爪部３ｂにおける別の端部の取付部３を向く側の係止部７ｂへの係止が不確実になればよいので、この爪部３ｂに取外用勾配３ｃを形成する代わりに、係止部７ｂにこのような取外用勾配７ｆを形成しても、同様の効果を得ることができる。しかも、図８では、この取外用勾配７ｆが下方ほど突出長が減少するように形成されているので、爪部３ｂとの係止がより円滑に自動的に解除されるようになる。【００７４】
さらに、図８に示したような爪部３ｂが内向きに突出する場合に限らず、上記実施形態のように爪部３ｂが外向きに突出する場合であっても、同様に係止部７ｂに取外用勾配７ｆを形成することができる。そして、このような取外用勾配７ｆも、取外用勾配３ｃと同様に、一平面状のものには限定されず、連続した曲面によって形成されていてもよく、複数の平面や曲面が不連続に繋がって形成されたものであってもよい。【００７５】
また、上記実施形態では、爪部３ｂが弾性によって引き込み可能となる場合を示したが、係止部７ｂが弾性によって引き込み可能となっていてもよい（請求項５）。【００７６】
この場合の係止部７ｂは、例えば取付受部７から立設した弾性を有する樹脂板の上部に形成してもよいし、取付受部７の上端部に前後方向に所定位置まで往復摺動可能に配置すると共に、この係止部７ｂをバネ等の弾性体で所定位置に付勢しておくようにしてもよい。この係止部７ｂによる係止の解除方法も、爪部３ｂの場合と同様に任意であり、例えばこの係止部７ｂを支持する樹脂板を指で押したり、取付部３や取付受部７に設けたボタンやレバー等を押すことにより係止部７ｂが引き込んで係止が解除されるような解除機構を設けてもよい。【００７７】
また、上記実施形態では、取付部３や蛍光ランプ点灯装置６のケースが樹脂製である場合を示したが、これらの材料は任意であり、例えば絶縁が確実に行われるのであれば金属製であってもよい。ただし、弾性体以外の材料を用いる場合には、爪部３ｂ等を引き込み可能とするために別途弾性体を用いる必要があり、このような弾性体を用いる部分に限らず、複数の材料を組み合わせて構成することもできる。【００７８】
また、上記実施形態では、設置部に蛍光ランプ点灯装置６を設置して蛍光ランプ１を取り付ける場合を示したが、この蛍光ランプ点灯装置６は、設置部に埋め込まれていたり一体化されていてもよく、設置部に取付受部７，７のみが設けられ、点灯回路等は他の場所に設置することもできる。【００７９】
さらに、蛍光管２に電源を供給するための端子４・・・と端子受金具５・・・による接続構造も、取付部３，３を取付受部７，７に係止した際に確実に接続が行われるものであれば、このようなプラグとコンセント状のものに限らず任意である。即ち、例えば取付受部７の接点に取付部３の凸状の端子が押し当たるような接続構造であってもよいし、電磁誘導等による非接触の接続構造であってもよい。【００８０】
また、上記実施形態では、蛍光ランプ１を取り付ける場合を示したが、両端部の取付部を取付受部に係止して取り付ける長尺物であれば、例えばネオン管、タオル掛けや衣類掛けのバー、展示ディスプレイ用のバー、又は、着脱可能な物干し竿等の任意の長尺物に実施可能である。そして、蛍光ランプ１以外のほとんどの長尺物は、設置部に取付受部があればよいので、蛍光ランプ点灯装置６は不要である。さらに、電気的な接続を行わない長尺物であれば、端子４…と端子受金具５…等の接続構造も不要であり、取付部や取付受部の絶縁を考慮する必要もなくなる。
【産業上の利用可能性】
【００８１】
長尺物の両端部の取付部の突出部を設置部の取付受部の嵌込部に嵌め込み、各突出部の爪部を嵌込部の係止部に係止することにより、この長尺物を設置部に取り付けることができる。【００８２】
そして、いずれか一方の取付部の突出部の爪部を弾性によって引き込ませることにより係止部への係止を解除し、この一方の取付部を上方に引き上げると、長尺物全体が一方の端部を上方に向けて斜めになるので、他方の端部の取付部の突出部における爪部の一方側が上方に持ち上がって、取外用勾配が係止部に当接する。すると、この取外用勾配は、一方側ほど突出長が減少するので、この一方側から係止部に当接されて持ち上げられることにより、爪部を弾性によって引き込ませることができ、これによって他方の取付部の突出部の爪部全体の係止部への係止を解除することができる。【００８３】
従って、いずれか一方の取付部でのみ突出部の爪部を引き込ませる操作を行って係止を解除し、この一方の取付部を持ち上げるだけで、自動的に他方の取付部の係止も解除できるので、片手で容易に長尺物の取り外しを行うことができるようになる。
【図１】
2006137374.tif 000002
【図２】
2006137374.tif 000003
【図３】
2006137374.tif 000004
【図４】
2006137374.tif 000005
【図５】
2006137374.tif 000006
【図６】
2006137374.tif 000007
【図７】
2006137374.tif 000008
【図８】
2006137374.tif 000009
【図９】
2006137374.tif 000010
【図１０】
2006137374.tif 000011
【国際調査報告】
2006137374.tif 000012
2006137374.tif 000013
2006137374.tif 000014
2006137374.tif 000015